(57)【要約】【課題】権利所有者は、コンパクトディスク（ＣＤ）やデジタルバーサティルディスク（ＤＶＤ）の形態のデジタルメディアのような新形式の配信や、インターネットのようなネットワークを経ての配信の可能性にも適応しなければならなくなった。【解決手段】ターミナルにコンテンツをデリバリーするためのシステムは、機密コンテンツサーバー(27)を備えている。このサーバー(27)は、コンテンツデリバリー条件が定義されたデータベースを含む。該デリバリー条件の少なくとも１つは、コンテンツのレンダリングを許す位置に関連している。レンダリングのためにコンテンツをデリバリーするターミナル(1)からの要求は、そのターミナル(1)が所定の位置内にあることが決定された場合に許される。【選択図】図１
2007188534.tif 000002
【特許請求の範囲】
【請求項１】
ターミナルにおいてコンテンツを機密裡にレンダリングするためのコンテンツデリバリーシステムであって、このシステムは、ネットワークへの接続を確立し且つ機密コンテンツサーバーからコンテンツのデリバリーを要求するように動作できる移動ターミナルを備え、上記ネットワークは、上記ターミナルの位置を決定しそして上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記ネットワークから上記ターミナルの位置を得て、そのターミナルの位置が上記レンダリング位置に対応する場合に、上記ターミナルにコンテンツをデリバリーするよう動作できるコンテンツデリバリーシステム。
【請求項２】
上記ターミナルは、レンダリングマシンを含む請求項１に記載のシステム。
【請求項３】
上記コンテンツは、上記ネットワークを経て上記ターミナルへデリバリーされる請求項１又は２に記載のシステム。
【請求項４】
ターミナルにおいてコンテンツを機密裡にレンダリングするためのコンテンツデリバリーシステムであって、このシステムは、自分の位置を決定し且つネットワークへの接続を確立して機密コンテンツサーバーからコンテンツのデリバリーを要求するよう動作できる移動ターミナルを備え、上記ネットワークは、上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記ターミナルから上記ターミナルの位置を得て、そのターミナルの位置が上記レンダリング位置に対応する場合に、上記ターミナルにコンテンツをデリバリーするよう動作できるコンテンツデリバリーシステム。
【請求項５】
上記ネットワークは、上記ターミナルの位置を決定するように動作でき、上記サーバーが上記ネットワークからターミナルの位置を選択的に得るようにする請求項５に記載のシステム。
【請求項６】
上記ターミナルは、レンダリングマシンを含む請求項４又は５に記載のシステム。
【請求項７】
上記コンテンツは、上記ネットワークを経て上記ターミナルへデリバリーされる請求項４ないし６のいずれかに記載のシステム。
【請求項８】
上記コンテンツは、上記データベースに記憶される請求項１ないし７のいずれかに記載のシステム。
【請求項９】
上記コンテンツは、上記条件をメタデータとして含む請求項８に記載のシステム。
【請求項１０】
上記データベースは、ネットワークを経てアクセスされる請求項１ないし９のいずれかに記載のシステム。
【請求項１１】
ターミナルにおいてコンテンツを機密裡にレンダリングするためのコンテンツデリバリーシステムであって、このシステムは、自分の位置を決定し且つアクセスポイントへの接続を確立して機密コンテンツサーバーからコンテンツのデリバリーを要求するよう動作できる移動ターミナルを備え、上記アクセスポイントは、上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記アクセスポイントから上記ターミナルの位置を得て、そのターミナルの位置が上記レンダリング位置に対応する場合に、上記ターミナルにコンテンツをデリバリーするよう動作できるコンテンツデリバリーシステム。
【請求項１２】
上記アクセスポイントは、ネットワークを経て上記サーバーに接続される請求項１１に記載のシステム。
【請求項１３】
上記ネットワークは、ワイヤレスネットワークである請求項１２に記載のシステム。
【請求項１４】
上記ターミナルは、レンダリングマシンを含む請求項１１ないし１３のいずれかに記載のシステム。
【請求項１５】
上記コンテンツは、ネットワークを経て上記ターミナルにデリバリーされる請求項１１ないし１４のいずれかに記載のシステム。
【請求項１６】
上記コンテンツは、上記データベースに記憶される請求項１１ないし１５のいずれかに記載のシステム。
【請求項１７】
上記コンテンツは、上記条件をメタデータとして含む請求項１６に記載のシステム。
【請求項１８】
上記データベースは、ネットワークを経てアクセスされる請求項１１ないし１７のいずれかに記載のシステム。
【請求項１９】
ターミナルにおいてコンテンツを機密裡にレンダリングするためのコンテンツデリバリーシステムであって、このシステムは、アクセスポイントへの接続を確立して機密コンテンツサーバーからコンテンツのデリバリーを要求するよう動作できる移動ターミナルを備え、上記アクセスポイントは、上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記ターミナルの位置を得て、そのターミナルの位置が上記レンダリング位置に対応する場合に、上記ターミナルにコンテンツをデリバリーするよう動作できるコンテンツデリバリーシステム。
【請求項２０】
上記アクセスポイントは、ネットワークを経て上記サーバーに接続される請求項１９に記載のシステム。
【請求項２１】
上記ネットワークは、ワイヤレスネットワークである請求項２０に記載のシステム。
【請求項２２】
上記ターミナルは、レンダリングマシンを含む請求項１９ないし２１のいずれかに記載のシステム。
【請求項２３】
上記コンテンツは、ネットワークを経て上記ターミナルへデリバリーされる請求項１９ないし２２のいずれかに記載のシステム。
【請求項２４】
上記アクセスポイントは、上記ターミナルの位置を決定するように動作でき、上記サーバーが上記アクセスポイントからターミナルの位置を選択的に得るようにする請求項１９ないし２３のいずれかに記載のシステム。
【請求項２５】
上記コンテンツは、上記データベースに記憶される請求項１９ないし２４のいずれかに記載のシステム。
【請求項２６】
上記コンテンツは、上記条件をメタデータとして含む請求項２５に記載のシステム。
【請求項２７】
上記データベースは、ネットワークを経てアクセスされる請求項１９ないし２６のいずれかに記載のシステム。
【請求項２８】
コンテンツに関連した少なくとも１つのデリバリー条件が記憶されたデータベースを含む機密コンテンツサーバーであって、このサーバーは、ターミナルからのコンテンツの要求に応答して、上記コンテンツのレンダリング位置を定義する上記少なくとも１つのデリバリー条件を上記データベースから決定するように動作でき、更に、上記サーバーは、上記ターミナルの位置を得て、そのターミナルの位置が上記レンダリング位置に対応する場合に、上記ターミナルにコンテンツをデリバリーするよう動作できる機密コンテンツサーバー。
【請求項２９】
上記コンテンツは、上記データベースに記憶される請求項２８に記載のサーバー。
【請求項３０】
上記コンテンツは、上記条件をメタデータとして含む請求項２９に記載のサーバー。
【請求項３１】
上記データベースは、ネットワークを経てアクセスされる請求項２８ないし３０のいずれかに記載のサーバー。
【請求項３２】
ターミナルにおいてコンテンツを機密裡にレンダリングするためのコンテンツデリバリー方法であって、コンテンツをデリバリーするための要求をターミナルから受け取り、その要求において識別された上記コンテンツを、データベースに記憶された少なくとも１つのデリバリー条件に関連させ、上記少なくとも１つのデリバリー条件は、レンダリング位置を定義し、更に、上記ターミナルの位置を得て、そのターミナルの位置が上記レンダリング位置に対応する場合に、上記ターミナルに上記コンテンツをデリバリーするという段階を備えた方法。
【請求項３３】
コンピュータにロードされたときに実行するための実行可能なコードを備えたコンピュータプログラムであって、上記コンピュータが上記コードに基づいて、請求項３２に記載の方法を実行するように動作できるようにするコンピュータプログラム。
【請求項３４】
コンピュータ読み取り可能な媒体に記憶された請求項３３に記載のプログラム。
【発明の詳細な説明】
【技術分野】
【０００１】
本発明は、移動ターミナルに限定されないが特に移動ターミナルへコンテンツをデリバリーすることに係る。
【背景技術】
【０００２】
従来、コンテンツの配信は、それが音声、映像、テキスト又は同様の事柄であっても、権利所有者により管理されている。従って、権利所有者は、自身が選択したフォーマット及び時間にコンテンツをリリースすることができる。更に、権利所有者は、特に、音声及び映像作品のようなコンテンツの公共の上演に関して取立て組合等を通じてコンテンツの配信にライセンスを与えることができる。このような上演を許すためのライセンスは、通常、メンバーである権利所有者に代わってライセンス期間を総合的にネゴシエーションする取立て組合又は団体を通じて得ることができる。このようなライセンスは、コンテンツを入手できる時間、場所及び他の条件を制約する。
【０００３】
コンテンツのリリースに影響する市場の条件に加えて、権利所有者は、ユーザへのコンテンツの入手を規定する地方の法律にも適合しなければならない。例えば、コンテンツは、ある年齢より上のユーザしか入手できない。
【発明の開示】
【発明が解決しようとする課題】
【０００４】
最近、権利所有者は、コンパクトディスク（ＣＤ）やデジタルバーサティルディスク（ＤＶＤ）の形態のデジタルメディアのような新形式の配信や、インターネットのようなネットワークを経ての配信の可能性にも適応しなければならなくなった。コンテンツの配信を管理するための権利所有者の能力を維持し、そして例えば、ＤＶＤに適用される地域コード化の概念を含ませるために、幾多の努力が払われている。このようなコード化により、ＤＶＤは、対応する地域コードを有する再生装置である忠実な再生装置でしかレンダリングすることができない。
【課題を解決するための手段】
【０００５】
従って、本発明の１つの態様によれば、ターミナルにおいてコンテンツを機密裡にレンダリングするためのコンテンツデリバリーシステムであって、このシステムは、ネットワークへの接続を確立し且つ機密コンテンツサーバーからコンテンツのデリバリーを要求するように動作できる移動ターミナルを備え、上記ネットワークは、上記ターミナルの位置を決定しそして上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記ネットワークから上記ターミナルの位置を得て、そのターミナルの位置が上記レンダリング位置に対応する場合に、上記ターミナルにコンテンツをデリバリーするよう動作できるコンテンツデリバリーシステムが提供される。
【０００６】
権利所有者が、自身のデジタルコンテンツの配信を、習慣となるやり方で管理できるようにするのに加えて、オーディットサーバーがシステムと一体化されていて、コンテンツへのアクセスを監視することができる。コンテンツはターミナル自身によってレンダリングされてもよいが、スタンドアローンのレンダリングマシンが認証され且つデリバリー条件を満足するエリア内に配置されることをサーバーが保証できるならば、そのスタンドアローンレンダリングマシンにコンテンツをデリバリーすることができる。好都合にも、上記システムは、デリバリー条件の区別化を許し、コンテンツを中央に記憶できるが、ネットワークを経てそのコンテンツへアクセスすることは、地方の法律要件に適合するように管理され、従って、コンテンツプロバイダーは、ターミナルがアクセスできるネットワークの機密サーバー内のローカルコントロールに基づいてコンテンツをデジタルで入手可能にすることができる。
【０００７】
本発明の別の態様によれば、ターミナルにおいてコンテンツを機密裡にレンダリングするためのコンテンツデリバリーシステムであって、このシステムは、自分の位置を決定し且つアクセスポイントへの接続を確立して機密コンテンツサーバーからコンテンツのデリバリーを要求するよう動作できる移動ターミナルを備え、上記アクセスポイントは、上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記アクセスポイントから上記ターミナルの位置を得て、そのターミナルの位置が上記レンダリング位置に対応する場合に、上記ターミナルにコンテンツをデリバリーするよう動作できるコンテンツデリバリーシステムが提供される。
【０００８】
便利なことに、ターミナルは、ＧＰＳのようなポジショニングシステムを備え、その出力は信頼できる。従って、ネットワークオペレータが位置決定能力を備える必要はない。このようなシステムは、ターミナルの位置決めが既に必要となっているネットワークにおいて好都合であると分かっている。
【０００９】
本発明の更に別の態様によれば、ターミナルにおいてコンテンツを機密裡にレンダリングするためのコンテンツデリバリーシステムであって、このシステムは、自分の位置を決定し且つアクセスポイントへの接続を確立して機密コンテンツサーバーからコンテンツのデリバリーを要求するよう動作できる移動ターミナルを備え、上記アクセスポイントは、上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記アクセスポイントから上記ターミナルの位置を得て、そのターミナルの位置が上記レンダリング位置に対応する場合に、上記ターミナルにコンテンツをデリバリーするよう動作できるコンテンツデリバリーシステムが提供される。
【００１０】
好都合にも、上記システムは、異なるネットワークの要件を満足するように拡張することができ、従って、アクセスポイントは、公衆地上移動ネットワーク（ＰＬＭＮ）、ローカルエリアネットワーク（ＬＡＮ）、ワイヤレスローカルエリアネットワークのベースステーション、或いは例えば、低電力高周波又は赤外線を使用したポイント対ポイント接続によって形成される。明らかなように、コンテンツのデリバリールートは、コンテンツを要求するのに使用されるものと同じである必要はない。従って、ターミナルは、多数の通信モードで動作することが必要となる。
【００１１】
本発明の更に別の態様によれば、ターミナルにおいてコンテンツを機密裡にレンダリングするためのコンテンツデリバリーシステムであって、このシステムは、自分の位置を決定し且つアクセスポイントへの接続を確立して機密コンテンツサーバーからコンテンツのデリバリーを要求するよう動作できる移動ターミナルを備え、上記アクセスポイントは、上記機密コンテンツサーバーへのアクセスを与えるように動作でき、上記サーバーは、上記要求において識別された上記コンテンツを、データベースに記憶された少なくとも１つのデリバリー条件に関連させるように動作でき、上記少なくとも１つのデリバリー条件は、レンダリング位置を定義し、上記サーバーは、更に、上記ターミナルから上記ターミナルの位置を得て、そのターミナルの位置が上記レンダリング位置に対応する場合に、上記ターミナルにコンテンツをデリバリーするよう動作できるコンテンツデリバリーシステムが提供される。
【００１２】
本発明の更に別の態様によれば、コンテンツに関連した少なくとも１つのデリバリー条件が記憶されたデータベースを含む機密コンテンツサーバーであって、このサーバーは、ターミナルからのコンテンツの要求に応答して、上記コンテンツのレンダリング位置を定義する上記少なくとも１つのデリバリー条件を上記データベースから決定するように動作でき、更に、上記サーバーは、上記ターミナルの位置を得て、そのターミナルの位置が上記レンダリング位置に対応する場合に、上記ターミナルにコンテンツをデリバリーするよう動作できる機密コンテンツサーバーが提供される。
【００１３】
上記サーバーは、ターミナルにコンテンツをデリバリーするときに通るネットワークアーキテクチャーの一部分を形成し、この場合、デリバリー条件は、コンテンツへのアクセス可能性に関する地方の法律要件を満足するようにネットワークオペレータにより少なくとも一部分セットされる。好都合にも、このようなサーバーは、イントラネットのようなプライベートネットワークの一部分を形成することもでき、従って、イントラネットオペレータにより定義されたエリア内のみでレンダリングのためのコンテンツを得ることができる。従って、ある組織は、テキスト、チャート、サウンド、ミュージック、及びその施設への他のデータのようなコンテンツの入手性を制限することができる。
【００１４】
本発明の更に別の態様によれば、ターミナルにおいてコンテンツを機密裡にレンダリングするためのコンテンツデリバリー方法であって、コンテンツをデリバリーするための要求をターミナルから受け取り、その要求において識別された上記コンテンツを、データベースに記憶された少なくとも１つのデリバリー条件に関連させ、上記少なくとも１つのデリバリー条件は、レンダリング位置を定義し、更に、上記ターミナルの位置を得て、そのターミナルの位置が上記レンダリング位置に対応する場合に、上記ターミナルにコンテンツをデリバリーするという段階を備えた方法が提供される。
【発明を実施するための最良の形態】
【００１５】
以下、添付図面を参照して、本発明の幾つかの実施形態を一例として詳細に説明する。
図１には、当業者に良く知られたように移動ターミナルの機能を含むパーソナルトラステッドデバイス（ＰＴＤ）１が示されている。従って、このＰＴＤ１は、トランシーバ３への接続を有するコントローラ２と、ディスプレイ５及びキーパッド６への更に別の接続を有するユーザインターフェイス４と、メモリ７とを備え、ワイヤレスネットワーク８に関連したその動作は、当業者に良く理解されよう。
【００１６】
移動ターミナルの既知の機能に加えて、ＰＴＤ１は、いたずら防止モジュール１０内に保護データベース９も備えている。以下に詳細に示すように、データベース９は、デジタルの権利情報即ちバウチャー１１の記憶を容易にする。このバウチャーは、機密の記憶装置に保持されたコンテンツに関連している。データベース９へのアクセスは、デジタル権利マネージメントエンジン１２に制限され、これは、コントローラ２にもインターフェイスする。デジタル権利マネージメントエンジン１２からの機密出力接続１３は、コントローラ２への出力接続１５を有するレンダリングマシン１４へ与えられる。
【００１７】
図２を参照すれば、ネットワーク８のカバレージエリア内には、少なくとも１つのベースステーション１７によりサービスされる複数のいわゆるホットスポットＡ、Ｂ、Ｃ及びＤが存在する。これらのホットスポットのうち、Ａ及びＢは、ファーストフードレストラン１８及びショッピングモール１９と各々同じ位置にあり、一方、Ｃ及びＤは、医師の診療所２０及びその患者２１の位置に各々対応している。各ホットスポットの物理的位置は、適当な項で定義され、そして２つ以上存在する適当なデータベース２３に保持される。従って、ファーストフードレストラン１８は、ピコセルラーベースステーション２４を備え、これは、至近の周囲、即ちレストラン１８の内部へのカバレージを与える。ベースステーション２４のネットワークアドレスは、ネットワーク８の要素を形成する位置データベース即ちホーム位置レジスタ（ＨＬＲ）２３ａに保持される。ショッピングモール１９の場合には、モール１９の地理的座標が位置データベース２３ｂに記憶され、このデータベースは、インターネット１６に接続され、インターネットサービスプロバイダー（ＩＳＰ）２５によって維持される。医師の診療所２０は、低電力高周波（ＬＰＲＦ）アクセスポイント２６を備え、これは、診療所マネージメントシステムの一部分を形成する患者データベース２３ｃに接続される。患者２１の位置は、患者２１に所有されてその制御下にあるＰＴＤ１により決定され、このＰＴＤ１は、更に、ＬＰＲＦ接続２６も含む。
【００１８】
機密コンテンツ記憶装置２７は、複数の適当な位置に設けられる。従って、診療所マネージメントシステムの一部分を形成するコンテンツサーバー２７ｃには、医療記録が機密裡に記憶される。他のコンテンツは、ネットワーク８の機密コンテンツサーバー２７ａ内に記憶されてもよいし、又はインターネット１６に直結された機密コンテンツサーバー２７ｂに記憶されてもよい。
【００１９】
図３を参照すれば、機密コンテンツ記憶装置２７内には、各コンテンツアイテム２９に対して記録２８が存在する。対応するコンテンツアイテム２９を識別するフィールド３０に加えて、記録２８は、その記録に関連したコンテンツ２９がレンダリングされるところの位置情報を保持する外部位置データベースを指すポインタ又は１組の位置を識別するフィールド３１を含む。典型的に、コンテンツ２９は、記録２８の識別フィールド３０が指すデータ３３を含むヘッダ部分３２と、ペイロード部分３４とを備えている。任意であるが、記録２８は、それに関連したコンテンツ２９がいつ及び／又はどれほど長くレンダリングされるかを指示する更に別のフィールド３５を備えている。年齢制限等の地方の法的必要性に向けられたデータを含む更に別のフィールド３６を設けることもできる。ここに示さない実施形態では、コンテンツの各アイテムに対して個別の記録を与えるのではなく、コンテンツ自体に関連したメタデータが、そのレンダリングに課せられる制約がもしあれば、それを含む。
【００２０】
特に、図１及び３を参照すれば、ユーザは、後でＰＴＤ１においてレンダリングしたいコンテンツ２９に関するバウチャー１１をダウンロードするか又は他のやり方で得る。従って、ＰＴＤのＵＩ４を経て発生されてコントローラ２によりデジタル権利マネージメントエンジン１２へ通される要求に応答して、エンジン１２は、バウチャー１１からＵＲＬを得る。このＵＲＬは、バウチャー１１に関するコンテンツ２９を保持する機密コンテンツサーバー２７のアドレスを与える。ネットワーク８を経て通信チャンネルを最初に確立したコントローラ２は、ＰＴＤ１がその物理的位置を識別する信頼性ある情報を与えることができるかどうかを指示するデータと共に、要求を機密コンテンツサーバー２７へ通過させる。
【００２１】
サーバー２７は、その要求を受け取り、そしてＰＴＤ１内に含まれたエンジン１２とのハンドシェークプロセスを開始する。エンジン１２は、バウチャー１１内に保持されたエレメント、即ちプライベートキーを含む公開キーインフラストラクチャー（ＰＫＩ）を使用して、バウチャー１１、ひいては、その要求を認証する。サーバーがバウチャー１１を認証できない場合には、セッションが終了となる。
【００２２】
バウチャー１１の認証に続いて、機密コンテンツサーバー２７は、レンダリングのためにＰＴＤ１へコンテンツ２９をデリバリーするための条件の確認を求める。サーバー２７は、要求と共に与えられたデータから、ＰＴＤ１が信頼のある位置情報を与えることができるかどうか決定する。次いで、サーバーは、レンダリングされるべきコンテンツ２９に対応する記録２８にアクセスし、そしてコンテンツ２９に対するレンダリング位置にどんな制約が課せられるかを先ず決定する。このような制約が存在する場合には、サーバー２７のフィールドは、どんな項で制約が定義されているか決定する。従って、制約は、例えば、ネットワーク、ネットワークの要素、地理的座標、又は別の装置への接近度に関して定義することができる。フィールド３１に定義された位置の性質に基づいて、サーバー２７は、ＰＴＤ１の位置を決定するための異なる解決策を採用する。明らかに、位置が地理的座標に関して定義される場合には、信頼のある位置情報を与える能力をもつＰＴＤ１に、サーバー２７により質問することができ、地理的座標がそこに与えられる。このようなファシリティが存在しないか又はファシリティが利用できず、おそらく、ＰＴＤ１がビルや他の構造物内にある場合には、ネットワーク８をベースとする技術、例えば、ベースステーション三角法を使用して、ＰＴＤ１を位置決めするよう試みることができる。
【００２３】
特定ベースステーションへの接近度のような、ＰＴＤ１に関連したネットワーク８のアーキテクチャーを参照することにより位置が定義される場合には、サーバー２７は、ＰＴＤ１が現在ネットワーク８にアクセスするときに通るベースステーションの指示をネットワーク８のＨＬＲから要求する。ＰＴＤ１に現在サービスしているベースステーションが、記録において定義されたものに対応する場合には、それに対応するコンテンツのレンダリングが許されるが、さもなければ、セッションは終了となる。
【００２４】
ＬＰＲＦアクセスポイントのようなアクセスポイント又は実際には別のＰＲＤのＩＰアドレスによって位置の制約が定義される状況においては、ＰＴＤ１がアクセスポイントに接近しているかどうか決定するための形態が少なくとも２つ存在する。第１の形態では、サーバー２７がアクセスポイントにコンタクトして位置情報を要求し、次いで、それを、ＰＴＤ１に対して決定された位置情報と比較する。第２の形態では、サーバー２７が、アクセスポイントに対してＰＴＤ自身を認証しそして認証の証拠を与えてコンテンツ２９を自由にレンダリングできるようにＰＴＤに要求する。
【００２５】
いずれの場合にも、コンテンツ２９の連続的レンダリングは、観察されている記録ファイル２８に課せられた制約に基づく。従って、サーバー２７は、コンテンツ２９をレンダリングする条件が満足されたままとなるようにする義務がある。これは、ＰＴＤ１の完全な認証を必要とせず、記録２８により設定された必要な程度にチェックするだけでよい。従って、サーバー２７は、例えば、ＰＴＤ１の位置を識別するプロセスを所定の間隔で繰り返す必要がある。このような情報がＰＴＤ１自体により与えられる程度に対して、例えば、信頼のある位置情報の場合には、デジタル権利マネージメントエンジン１２が、コンテンツ２９の連続的レンダリング２９に必要なプロセスの一部分を執り行う。明らかに、条件が満足されない場合には、コンテンツのレンダリングが終了となる。
【００２６】
上述した実施形態は、次の説明を参照することにより更に理解されよう。
図２の特にホットスポットＡを参照すれば、ＰＴＤ１のユーザは、ＰＴＤが属するネットワーク８のオペレータに関連してファーストフードレストラン１８の所有者により実行されるプロモーション運動の一部分としてバウチャー１１を受け取る。このバウチャー１１は、最近リリースされたアルバムからオーディオトラックを選択する形態でコンテンツ２９をレンダリングする資格をユーザに与える。バウチャー１１は、所定の食事を購入した後にレストラン１８のポイント・オブ・セール（ＰＯＳ）装置（図示せず）により赤外線又は他の適当なポイント対ポイント接続によってＰＴＤ１にデリバリーされる。しかしながら、ネットワーク８の制御のもとで機密サーバー２７ａに保持されたコンテンツ２９に関連したコンテンツ記録２８は、レストランの境界内のみでレンダリングを許す位置制約フィールド３１を含む。この制約は、レストラン１８を含むネットワーク８内のピコセルに関して定義される。プロモーションが制限期間中のものであるときは、コンテンツ記録は、特定の位置でレンダリングが行われる期間を指示するフィールド３５も含む。バウチャー１１に加えて、ユーザは、自分のＰＴＤ１へのライセンス期間についての個別の通知を受け取る。
【００２７】
ユーザは、食事を購入すると、レストラン１８内の席に着き、そしてＵＩ４を経て、バウチャー１１に識別されたコンテンツ２９を要求することができる。従って、ＰＴＤ１のＵＩ４を経て発生されてコントローラ２によりデジタル権利マネージメントエンジン１２へ通された要求に応答して、エンジン１２は、バウチャー１１からＵＲＬを得る。このＵＲＬは、バウチャー１１に関連したコンテンツ２９を保持する機密コンテンツサーバー２７ａのアドレス、即ち最近リリースされたアルバムからのオーディオトラックの選択を与える。コントローラ２は、ネットワーク８を経て通信チャンネルを最初に確立すると、ＰＴＤ１がその物理的位置を識別する信頼性のある情報を供給できるかどうかを表わすデータと一緒に機密コンテンツサーバー２７ａに要求を通す。
【００２８】
サーバー２７ａは、その要求を受け取り、ＰＴＤ１内に含まれたエンジン１２とのハンドシェークプロセスを開始する。エンジン１２は、バウチャー１１内に保持されたエレメント、即ちプライベートキーを含む公開キーインフラストラクチャー（ＰＫＩ）を使用して、バウチャー１１、ひいては、その要求を認証する。サーバー２７ａがバウチャー１１を認証できない場合には、セッションが終了となる。
【００２９】
バウチャー１１の認証に続いて、機密コンテンツサーバー２７ａは、レンダリングのためにＰＴＤ１へコンテンツ２９をデリバリーするための条件の確認を求める。サーバー２７ａは、要求と共に与えられたデータから、ＰＴＤ１が信頼のある位置情報を与えることができるかどうか決定する。次いで、サーバーは、レンダリングされるべきコンテンツ２９に対応する記録２８にアクセスし、そしてコンテンツ２９に対するレンダリング位置にどんな制約が課せられるかを先ず決定する。制約がネットワーク８の要素、即ちベースステーション１７に関連したものであることが分かると、サーバー２７は、ＰＴＤ１がネットワーク８に現在アクセスするときに通るベースステーションの指示をネットワーク８のＨＬＲ２３ａから要求する。ＰＴＤ１に現在サービスしているベースステーション１７が、記録２８に定義されたものに対応する場合には、それに対応するコンテンツのレンダリングが許されるが、さもなければ、セッションは終了となる。
【００３０】
記録２８に載せられたコンテンツ２９のレンダリングに他の制約を受けると、ＰＴＤ１のデジタル権利マネージメントエンジン１２が受信したコンテンツ２９は、暗号解読され、次いで、レンダリングマシン１４によりレンダリングされる。ＰＴＤのオーディオ出力ジャック（図示せず）は、デバイス１にヘッドホンを接続してユーザがレンダリングされたオーディオコンテンツ２９を楽しめるようにする一方、ユーザにより選択されたコンテンツ２９に関連した情報をディスプレイ５に表示できるようにする。ユーザがレストラン１８の境界を去り、ひいては、バウチャー１１により与えられたライセンスの範囲を去ると、上述したように、サーバーがそのコンテンツのレンダリングを停止する。
【００３１】
図２及び特にホットスポットＢを参照すれば、ＰＴＤ１のユーザには、ショッピングモール１９においてセールス事象の詳細が売り込みされる。この詳細に含まれているのは、モール１９内の小売店から入手できる商品に関する種々のマルチメディアプロモーションプレゼンテーションの形態でコンテンツ２９をレンダリングする資格をユーザに与えるバウチャー１１である。しかしながら、機密サーバー２７ａに保持されたコンテンツ２９に関連したコンテンツ記録２８は、ＩＳＰ２５により動作される位置データベース２３ｂを指す位置制約フィールド３１を含み、このデータベースは、モール１９の境界内のみでレンダリングを許す。その制約は、地理的位置に関してモール１９の座標の形態で定義される。プロモーションが限定期間中のものであるときには、コンテンツ記録２８は、レンダリングが行われる期間を示すフィールド３５も含む。バウチャー１１に加えて、ユーザは、自分のＰＴＤ１へのライセンス期間についての個別の通知を受け取る。
【００３２】
バウチャー１１を受け取ると、ユーザは、モール１９へ立ち寄ることを選択する。モール１９に到着すると、ユーザは、ＵＩ４を経てコンテンツをレンダリングするように試み、従って、要求がコントローラ２によりデジタル権利マネージメントエンジン１２へ通される。エンジン１２は、バウチャー１１からＵＲＬを得る。このＵＲＬは、バウチャー１１に関連したコンテンツ２９、即ちモール１９内の小売店から入手できる商品に関する種々のマルチメディアプロモーションプレゼンテーションを保持する機密コンテンツサーバー２７ｂのアドレスを与える。ネットワーク８を経てインターネット１６への通信チャンネルを最初に確立したコントローラ２は、ＰＴＤ１がその物理的位置を識別する信頼のある情報を与えることができるかどうかを指示するデータと共に、要求を機密コンテンツサーバー２７ｂへ通過させる。
【００３３】
サーバー２７ｂは、その要求を受け取り、そしてＰＴＤ１内に含まれたエンジン１２とのハンドシェークプロセスを開始する。エンジン１２は、バウチャー１１内に保持されたエレメント、即ちプライベートキーを含む公開キーインフラストラクチャー（ＰＫＩ）を使用して、バウチャー１１、ひいては、その要求を認証する。サーバーがバウチャー１１を認証できない場合には、セッションが終了となる。
【００３４】
バウチャー１１の認証に続いて、機密コンテンツサーバー２７ｂは、レンダリングのためにＰＴＤ１へコンテンツ２９をデリバリーするための条件の確認を求める。サーバー２７ｂは、要求と共に与えられたデータから、ＰＴＤ１が信頼のある位置情報を与えることができるかどうか決定する。次いで、サーバーは、レンダリングされるべきコンテンツ２９に対応する記録２８にアクセスし、そしてコンテンツ２９に対するレンダリング位置にどんな制約が課せられるかを先ず決定する。
【００３５】
制約が、地理的座標で定義された位置に関するものであると分かると、サーバー２７ｂは、ＰＴＤ１が信頼ある位置情報を供給できるかどうかチェックする。もしそうであれば、サーバー２７ｂによりその座標に対してＰＴＤ１へ要求が発せられる。ＰＴＤ１は、それに応答して、その現在位置に関する情報をサーバー２７ｂへ返送する。ＰＴＤ１が適切に位置されていると仮定すれば、サーバー２７ｂは、ＰＴＤ１によりレンダリングするためのコンテンツをリリースする。
【００３６】
ＰＴＤ１が、信頼ある位置情報を供給できない場合には、サーバー２７ｂは、そのＰＴＤ１に関する位置情報を供給するためにＰＴＤ１に関連した要求を形成してネットワーク８へ送信しなければならない。このような要求に応答してネットワーク８がＰＴＤ１の位置をいかに決定するかは、ポジショニングのために採用された特定のネットワーク解決策に依存する。従って、ネットワーク８は、ベースステーション三角法を使用するが、当業者であれば、他の適当な技術が明らかであろう。ネットワーク８によりＰＴＤに関する位置情報が供給されて満足されると、サーバー２７ｂは、ＰＴＤ１によりレンダリングするためのコンテンツを自由にリリースする。
【００３７】
記録２８に載せられたコンテンツ２９のレンダリングに他の制約を受けると、ＰＴＤ１のデジタル権利マネージメントエンジン１２が受信したコンテンツ２９は、暗号解読され、次いで、レンダリングマシン１４によりレンダリングされる。ＰＴＤのオーディオ出力ジャック（図示せず）は、デバイス１にヘッドホンを接続できるようにし、ビデオコンテンツをディスプレイ５にプレゼンテーションしながら、ユーザがレンダリングされたオーディオコンテンツのプレゼンテーションを楽しめるようにする。ユーザがモールの境界を去り、ひいては、バウチャー１１により与えられたライセンスの範囲を去ると、上述したように、サーバー２７ｂがそのコンテンツ２９のレンダリングを停止する。
【００３８】
図２及び特にホットスポットＣ及びＤを参照すると、医師は、自分が担当する患者に関する秘密の医療記録を見ることを希望する。これらの記録は、診療所２０内に収容された機密コンテンツサーバー２７ｃに配置されている。記憶装置２３ｃは、患者の場所に関する詳細、より詳細には、患者のＰＴＤ１で認証セッションを確立できる公開キーを保持する。
【００３９】
地方の法律に基づき、医師は、自分の診療所２０の境界内のみで又は自分の患者２１の立会いで患者の医療記録にアクセスすることが許される。この要件に適合するために、コンテンツ２９に関連した記録２８、即ち自分の患者２１の医療記録は、コンテンツ２９が診療所２０内又は自分の患者２１の至近位置Ｄでレンダリングされてもよいことを指示する。この指示は、第１の例では、診療所２０内のＬＰＲＦアクセスポイント２６を参照することにより定義され、そして第２の例では、ＬＰＲＦ等のショートレンジのポイント対ポイント通信チャンネルにより医師のＰＴＤ１を患者のＰＴＤ１に対してそれ自身で認証させることにより定義される。
【００４０】
医師のＰＴＤ１には、自分が担当する患者に関するバウチャー１１が予めロードされる。医師が診療所２０内にいて、記録を見たい特定の患者２１をＵＩ４を経て選択する状況においては、その要求がコントローラ２によりデジタル権利マネージメントエンジン１２へ通される。エンジン１２は、バウチャー１１からＵＲＬを得る。ＵＲＬは、バウチャー１１に関連したコンテンツ２９、即ち患者２１の医療記録を保持する機密コンテンツサーバー２７ａのアドレスを与える。ネットワーク８を経て通信チャンネルを最初に確立したコントローラ２は、ＰＴＤ１がその物理的な位置、ここでは、患者への接近位置を識別する信頼性ある情報を供給できるかどうかを示すデータと共に、要求を機密コンテンツサーバー２７ｃへ通過させる。
【００４１】
サーバー２７ｃは、その要求を受け取り、そしてＰＴＤ１内に含まれたエンジン１２とのハンドシェークプロセスを開始する。エンジン１２は、バウチャー１１内に保持されたエレメント、即ちプライベートキーを含む公開キーインフラストラクチャー（ＰＫＩ）を使用して、バウチャー１１、ひいては、その要求を認証する。サーバー２７ｃがバウチャー１１を認証できない場合には、セッションが終了となる。
【００４２】
バウチャー１１の認証に続いて、機密コンテンツサーバー２７ｃは、レンダリングのためにＰＴＤ１へコンテンツ２９をデリバリーするための条件の確認を求める。従って、サーバー２７は、レンダリングされるべきコンテンツ２９に対応する記録２８にアクセスし、そしてコンテンツ２９に対するレンダリング位置にどんな制約が課せられるかを先ず決定し、即ちＰＴＤ１が診療所内に位置するか又は患者のＰＴＤ１の至近に位置するという制約を決定する。
【００４３】
この場合に、サーバー２７ｃは、ＬＰＲＦアクセスポイント２６を含む診療所マネージメントシステムの一部分を形成する。従って、サーバー２７ｃは、ＬＰＲＦアクセスポイント２６に直接問合せして、ＰＴＤ１が診療所２０内に存在するかどうか決定することができる。医師のＰＴＤ１が診療所２０内にあることが分かると、コンテンツ２９がレンダリングのためにＰＴＤ１へデリバリーされる。付加的なセキュリティを与えるために、コンテンツ２９は、ネットワーク８を使用するのではなく、ＬＰＲＦアクセスポイント２６を経てデリバリーされてもよい。実際に、ＰＴＤ１によりコンテンツ２９へのアクセスを求める全プロセスは、ネットワーク８を使用するのではなく、ＬＰＲＦアクセスポイント２６を経て実行されてもよい。記録２８に載せられたコンテンツ２９のレンダリングに他の制約を受けると、ＰＴＤ１のデジタル権利マネージメントエンジン１２が受信したコンテンツ２９は、暗号解読され、次いで、レンダリングマシン１４によりレンダリングされる。上述したように、医師が診療所２０の境界を去り、ひいては、バウチャー１１により与えられたライセンスの範囲を去ると、上述したように、サーバー２７ｃは、ＰＴＤ１におけるそのコンテンツ２９のレンダリングを停止する。
【００４４】
医師が患者２１と共に診療所２０の外にいる場合には、レンダリングされるコンテンツ２９、即ち患者２１の医療記録に対する要求が、コントローラ２によりデジタル権利マネージメントエンジン１２へ通される。エンジン１２は、バウチャー１１からＵＲＬを得る。ＵＲＬは、バウチャー１１に関連したコンテンツ２９、即ち患者２１の医療記録を保持する機密コンテンツサーバー２７のアドレスを与える。ネットワーク８を経て通信チャンネルを最初に確立したコントローラ２は、ＰＴＤ１がその物理的な位置、ここでは、患者への接近位置を識別する信頼性のある情報を供給できるかどうかを示すデータと共に、要求を機密コンテンツサーバー２７ｃへ通過させる。
【００４５】
サーバー２７ｃは、その要求を受け取り、そしてＰＴＤ１内に含まれたエンジン１２とのハンドシェークプロセスを開始する。エンジン１２は、バウチャー１１内に保持されたエレメント、即ちプライベートキーを含む公開キーインフラストラクチャー（ＰＫＩ）を使用して、バウチャー１１、ひいては、その要求を認証する。サーバー２７ｃがバウチャー１１を認証できない場合には、セッションが終了となる。
【００４６】
バウチャー１１の認証に続いて、機密コンテンツサーバー２７ｃは、レンダリングのためにＰＴＤ１へコンテンツ２９をデリバリーするための条件の確認を求める。従って、サーバー２７は、レンダリングされるべきコンテンツ２９に対応する記録２８にアクセスし、そしてコンテンツ２９に対するレンダリング位置にどんな制約が課せられるかを先ず決定し、即ちＰＴＤ１が診療所内に位置するか又は患者のＰＴＤ１の至近に位置するという制約を決定する。
【００４７】
以上に述べたように、サーバー２７ｃは、ＬＰＲＦアクセスポイント２６を含む診療所マネージメントシステムの一部分を形成する。従って、サーバー２７ｃは、ＬＰＲＦアクセスポイント２６に直接問合せして、ＰＴＤ１が診療所２０内に存在するかどうか決定することができる。医師のＰＴＤ１が診療所２０内にないことが分かると、サーバー２７ｃは、ネットワーク８を経て医師のＰＴＤ１へ要求を発して、それ自身を患者のＰＴＤ１’に対して認証させる。その要求を受け取ると、デジタル権利マネージメントエンジン１２は、患者のＰＴＤ１’へのＬＰＲＦ接続（図示せず）を経て適当な認証プロセスを開始する。プロセスが首尾良く完了すると、サーバー２７ｃへ適当な応答がなされる。明らかに、サーバー２７ｃへの応答は、医師のＰＴＤ１が適切に認証され、ひいては、患者のＰＴＤ１’の至近位置にあるようにサーバー２７ｃに保証させるＰＫＩのエレメントを含まねばならない。その後、記録２８に載せられたコンテンツ２９のレンダリングに他の制約を受けると、コンテンツ２９は、ネットワーク８を経て、レンダリングのために医師のＰＴＤ１へデリバリーされる。ＰＴＤ１のデジタル権利マネージメントエンジン１２が受信したコンテンツ２９は、暗号解読され、次いで、レンダリングマシン１４によりレンダリングされ、ディスプレイのような適当な要素によりプレゼンテーションされる。医師が患者のＰＴＤ１’の至近位置を去り、ひいては、バウチャー１１により与えられたライセンスの範囲を去ると、上述したように、サーバー２７ｃにより要求されたＰＴＤ１の位置の更新がこの事象を露呈させ、そしてサーバー２７ｃがそのコンテンツ２９のレンダリングを終了させる。
【００４８】
以上の説明から、ＰＴＤ１でコンテンツをレンダリングすることに伴う多数のプロセスは、特に位置の探索に関連した機密情報又はパーソナル情報の供給に依存していることが容易に明らかである。従って、情報及びその情報が転送される通信チャンネルの両方を保護するために、種々の形式の暗号化を実施することができる。
【図面の簡単な説明】
【００４９】
【図１】本発明によるシステムの一部分を形成するパーソナルトラステッドデバイスを示すブロック図である。
【図２】図１のシステムの幾つかの実施形態を示す概略図である。
【図３】図１のシステムに使用されるデータ構造を示す概略図である。
【符号の説明】
【００５０】
１      パーソナルトラステッドデバイス（ＰＴＤ）
２      コントローラ
３      トランシーバ
４      ユーザインターフェイス
５      ディスプレイ
６      キーパッド
７      メモリ
８      ワイヤレスネットワーク
９      保護データベース
１０    いたずら防止モジュール
１１    バウチャー
１２    デジタル権利マネージメントエンジン
１３    機密出力接続
１４    レンダリングマシン
１５    出力接続
１６    インターネット
１７    ベースステーション
１８    ファーストフードレストラン
１９    ショッピングモール
２０    診療所
２１    患者
２３ａ  ホーム位置レジスタ（ＨＬＲ）
２３ｂ  位置データベース
２３ｃ  患者データベース
２４    ピコセルラーベースステーション
２５    インターネットサービスプロバイダー（ＩＳＰ）
２６    低電力高周波（ＬＰＲＦ）アクセスポイント
２７    サーバー
２７ａ  機密コンテンツサーバー
２７ｂ  機密コンテンツサーバー
２７ｃ  コンテンツサーバー
２８    記録
２９    コンテンツ
３０    識別フィールド
３１    識別フィールド
３２    ヘッダ部分
３３    データ
３４    ペイロード部分
３５    フィールド
３６    フィールド
【図１】
2007188534.tif 000003
【図２】
2007188534.tif 000004
【図３】
2007188534.tif 000005
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
移動ターミナルにおいてコンテンツをレンダリングする方法であって、
販売場所においてポイント対ポイント通信を使用して、移動ターミナルにおける第１のコンテンツのレンダリングを条件付で可能とする電子バウチャーを移動ターミナルへ提供し、
無線通信チャネル及び前記電子バウチャーから得られるデータを用いて、セッション要求を移動ターミナルから機密コンテンツサーバーへ送信し、
前記電子バウチャーを、前記機密コンテンツサーバーにおいて認証し、
前記移動ターミナルに関連する条件が、第１のコンテンツに関連する制限条件を満たす場合、前記移動ターミナルにおいて第１のコンテンツのレンダリングを可能とする方法。
【請求項２】
前記制限条件は、前記ターミナルの位置を指定する請求項１に記載の方法。
【請求項３】
前記制限位置は、時間依存である請求項１または２に記載の方法。
【請求項４】
前記機密コンテンツサーバーは、第１のコンテンツのために、第１のコンテンツのレンダリングのための少なくとも一つの制限条件を含む記録を保持する請求項１から３のいずれか１項に記載の方法。
【請求項５】
前記認証段階が成功した場合のみ、前記レンダリングを可能とする段階が生じる請求項１から４のいずれか１項に記載の方法。
【請求項６】
前記ターミナルは、信頼指示子を前記セッション要求と共に提供する請求項１から５のいずれか１項に記載の方法。
【請求項７】
前記信頼指示子は、前記ターミナルが信頼のある位置情報を提供する機能を有するか否かを示す請求項６に記載の方法。
【請求項８】
前記ターミナルはセルラー無線通信ネットワークにおいて動作する移動セルラー電話であって、前記制限条件は前記ターミナルのための位置を指定し、前記方法は、前記セルラー無線通信ネットワークにおいて使用される位置データベースから前記ターミナルの位置を前記機密サーバーが要求することをさらに含む請求項１から７のいずれか１項に記載の方法。
【請求項９】
前記第１のコンテンツのレンダリングが許容された場合、前記機密コンテンツサーバーから前記移動ターミナルへ、前記第１のコンテンツをダウンロードすることを更に含む請求項１から８のいずれか１項に記載の方法。
【請求項１０】
前記移動ターミナルは、デジタル権利エンジンを備える請求項１から９のいずれか１項に記載の方法。
【請求項１１】
前記電子バウチャーは、販売促進運動の一部として提供される請求項１から１０のいずれか１項に記載の方法。
【請求項１２】
前記第１のコンテンツは、最近発売されたアルバムからの楽曲の選択である請求項１から１１のいずれか１項に記載の方法。
【請求項１３】
移動ターミナルにおいてコンテンツを条件付でレンダリングするためのシステムであって、
ホストターミナルにおいて第１のコンテンツのレンダリングを条件付で可能とする電子バウチャーと、
販売場所において前記電子バウチャーを提供するためのポイント対ポイント通信手段と、
ポイント対ポイント通信手段からバウチャーを受信し、無線通信チャネルと前記受信された電子バウチャーから得られるデータを用いてセッション要求を送信するように動作する移動ターミナルと、
前記移動ターミナルからセッション要求を受信し、前記受信した要求に応答して前記移動ターミナルに存在する電子バウチャーを認証し、そして、認証が成功した場合、前記移動ターミナルに関連する条件が第１のコンテンツに関連する制限条件を満たすときに、前記移動ターミナルにおいて第１のコンテンツのレンダリングを可能とするように動作する機密サーバーと、
を備えるシステム。
【請求項１４】
移動ターミナルからセッション要求を受信するための受信器と、
該受信された要求に応答して、移動ターミナルに存在する電子バウチャーであって、ホストターミナルにおける第１のコンテンツのレンダリングを条件付で可能とする電子バウチャーを認証するための認証手段と、
前記バウチャーの認証が成功し、かつ、移動ターミナルに関連する条件が第１のコンテンツに関連する制限条件を満たす場合、前記移動ターミナルにおいて第１のコンテンツのレンダリングを可能とする手段と、
を備えるサーバー。